【手続補正書】
【提出日】平成30年11月2日(2018.11.2)
【手続補正１】
【補正対象書類名】特許請求の範囲
【補正対象項目名】全文
【補正方法】変更
【補正の内容】
【特許請求の範囲】
【請求項１】
ナビゲーションを実行する電子時計であって、
表示部と、
磁気センサーと、
ＧＰＳ衛星から時刻を示す時刻情報を受信する受信部と、
前記ＧＰＳ衛星の軌道を示す軌道情報を記憶する記憶部と、
前記受信部の受信した時刻情報と前記記憶部が記憶している軌道情報とを用いて前記電子時計の位置を示す位置情報を生成し、当該位置情報と前記磁気センサーの出力と目的地の位置を示す目的地情報と、に基づいて前記表示部を用いて前記ナビゲーションを実行する制御部と、を含み、
前記制御部は、前記軌道情報が前記記憶部に記憶されてから前記軌道情報の有効期間以下の第１所定時間が経過すると、前記受信部を用いて前記ＧＰＳ衛星から前記軌道情報を受信し、前記記憶部が記憶している軌道情報を、前記受信部を用いて受信した軌道情報に更新することを特徴とする電子時計。
【請求項２】
ナビゲーションを実行する電子時計であって、
表示部と、
磁気センサーと、
ＧＰＳ衛星から時刻を示す時刻情報を受信する受信部と、
前記ＧＰＳ衛星の軌道を示す軌道情報を記憶する記憶部と、
前記受信部の受信した時刻情報と前記記憶部が記憶している軌道情報とを用いて前記電子時計の位置を示す位置情報を生成し、当該位置情報と前記磁気センサーの出力と目的地の位置を示す目的地情報と、に基づいて前記表示部を用いて前記ナビゲーションを実行する制御部と、を含み、
前記制御部は、前記軌道情報が前記記憶部に記憶されてから前記軌道情報の有効期間以下の第１所定時間が経過すると、前記記憶部が記憶している軌道情報の更新を促すことを特徴とする電子時計。
【請求項３】
前記制御部は、前記軌道情報が前記記憶部に記憶されてから第１操作部が前記ナビゲーションの開始を指示する第１操作を受けるまでの経過時間が、前記第１所定時間よりも短い第２所定時間を超えている場合には、前記第１操作に応じて前記受信部を用いて前記ＧＰＳ衛星から前記軌道情報を受信し、前記記憶部が記憶している軌道情報を前記第１操作に応じて受信した軌道情報に更新することを特徴とする請求項１または２に記載の電子時計。
【請求項４】
前記制御部は、前記経過時間が前記第２所定時間を超えている場合に、前記第１操作に応じて前記受信部が受信動作を開始してから第３所定時間が経過しても前記軌道情報を受信できないと、前記受信部の受信動作を停止することを特徴とする請求項３に記載の電子時計。
【請求項５】
前記軌道情報と前記時刻情報は、前記ＧＰＳ衛星から送信された衛星信号が含む航法メッセージに含まれており、
前記第３所定時間は、前記航法メッセージの送信期間よりも短い、
ことを特徴とする請求項４に記載の電子時計。
【請求項６】
前記制御部は、前記経過時間が前記第２所定時間を超えていない場合には、前記第１操作に応じて前記時刻情報を受信したら前記受信部の受信動作を停止することを特徴とする請求項３から５のいずれか１項に記載の電子時計。
【請求項７】
前記目的地情報の生成を指示する第２操作を受ける第２操作部をさらに含み、
前記制御部は、前記第２操作部が前記第２操作を受けると、前記受信部を用いて前記ＧＰＳ衛星から前記時刻情報と前記軌道情報とを受信し、前記記憶部が記憶している軌道情報を前記第２操作に応じて受信した軌道情報に更新し、前記第２操作に応じて受信した時刻情報と前記記憶部が記憶している更新後の軌道情報とを用いて前記位置情報を前記目的地情報として生成する、
ことを特徴とする請求項１から６のいずれか１項に記載の電子時計。
【請求項８】
前記座標情報は、エフェメリスデータであることを特徴とする請求項１から７のいずれか１項に記載の電子時計。
【手続補正２】
【補正対象書類名】明細書
【補正対象項目名】００１３
【補正方法】変更
【補正の内容】
【００１３】
本発明の電子時計の一態様は、ナビゲーションを実行する電子時計であって、表示部と、磁気センサーと、ＧＰＳ衛星から時刻を示す時刻情報を受信する受信部と、前記ＧＰＳ衛星の軌道を示す軌道情報を記憶する記憶部と、前記受信部の受信した時刻情報と前記記憶部が記憶している軌道情報とを用いて前記電子時計の位置を示す位置情報を生成し、当該位置情報と前記磁気センサーの出力と目的地の位置を示す目的地情報と、に基づいて前記表示部を用いて前記ナビゲーションを実行する制御部と、を含み、前記制御部は、前記軌道情報が前記記憶部に記憶されてから前記軌道情報の有効期間以下の第１所定時間が経過すると、前記受信部を用いて前記ＧＰＳ衛星から前記軌道情報を受信し、前記記憶部が記憶している軌道情報を、前記受信部を用いて受信した軌道情報に更新することを特徴とする。
この態様によれば、軌道情報が記憶部に記憶されてから第１所定時間が経過すると、新たに軌道情報が受信され、記憶部の記憶している軌道情報が、新たに受信された軌道情報に更新される。
このため、受信部が常時動作していなくても、記憶部に記憶されている軌道情報を有効な軌道情報にすることができる。よって、受信部が常時動作している場合に比べて消費電力を低減しつつ、ナビゲーションの開始時に軌道情報が無効となっていることを抑制でき、ナビゲーションの開始に時間がかかることを抑制可能になる。
【手続補正３】
【補正対象書類名】明細書
【補正対象項目名】００１４
【補正方法】変更
【補正の内容】
【００１４】
本発明の電子時計の一態様は、ナビゲーションを実行する電子時計であって、表示部と、磁気センサーと、ＧＰＳ衛星から時刻を示す時刻情報を受信する受信部と、前記ＧＰＳ衛星の軌道を示す軌道情報を記憶する記憶部と、前記受信部の受信した時刻情報と前記記憶部が記憶している軌道情報とを用いて前記電子時計の位置を示す位置情報を生成し、当該位置情報と前記磁気センサーの出力と目的地の位置を示す目的地情報と、に基づいて前記表示部を用いて前記ナビゲーションを実行する制御部と、を含み、前記制御部は、前記軌道情報が前記記憶部に記憶されてから前記軌道情報の有効期間以下の第１所定時間が経過すると、前記記憶部が記憶している軌道情報の更新を促すことを特徴とする。
この態様によれば、軌道情報が記憶部に記憶されてから第１所定時間が経過すると、記憶部が記憶している軌道情報の更新が促される。
このため、受信部が常時動作していなくても、記憶部に記憶されている軌道情報をユーザーに更新させることが可能になる。よって、受信部が常時動作している場合に比べて消費電力を低減しつつ、ナビゲーションの開始時に軌道情報が無効となっていることを抑制でき、ナビゲーションの開始に時間がかかることを抑制可能になる。
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】変更
【補正の内容】
【００１６】
上述した電子時計の一態様において、前記制御部は、前記軌道情報が前記記憶部に記憶されてから第１操作部が前記ナビゲーションの開始を指示する第１操作を受けるまでの経過時間が、前記第１所定時間よりも短い第２所定時間を超えている場合には、前記第１操作に応じて前記受信部を用いて前記ＧＰＳ衛星から前記軌道情報を受信し、前記記憶部が記憶している軌道情報を前記第１操作に応じて受信した軌道情報に更新することが望ましい。
この態様によれば、第１操作に応じた時刻情報の受信に伴って軌道情報を新たに受信して、記憶部に記憶されている軌道情報を、新たに受信した軌道情報に更新できる。また、軌道情報が記憶部に記憶されてから第１操作を受けるまでの経過時間が第２所定時間を超えている場合に軌道情報を更新するので、例えば、軌道情報が有効である状況で第１操作が頻繁に行われたときに、軌道情報が必要以上に頻繁に更新されることを抑制可能になる。